(57)【要約】【構成】本発明の携帯電話機１０によれば、アドレス帳４２に基づいてＳＭＳメールの宛先の電話番号を選択する際、キャリアの種別（５０ｇ）が当該携帯電話機１０のキャリア種別（４０ｃ）と同じである電話番号が登録されている登録者の名称（５０ａ）のみを表示し、さらに、表示されたこの登録者の名称を選択した場合には、当該登録者のものとして登録されている電話番号のうちキャリアの種別が当該携帯電話機１０のキャリア種別と同じである電話番号（５０ｆ）のみを選択可能に表示する。【効果】ＳＭＳメールの宛先として指定可能な電話番号を簡単にかつ確実に選択することができる。【選択図】図１４
2010034928.tif 000002
【特許請求の範囲】
【請求項１】
ショートメッセージサービス機能を備えた携帯電話端末であって、
登録者の携帯電話端末のキャリア情報が当該登録者の携帯電話端末の電話番号および当該登録者の識別情報と対応つけて登録されたアドレス帳を記憶する第１記憶手段、
自端末のキャリア種別を記憶する第２記憶手段、
ショートメッセージサービスのメールの宛先選択開始操作に応じて、前記アドレス帳に登録されている登録者の識別情報のうち、前記第２記憶手段に記憶されている自端末のキャリア種別と同一であることを示すキャリア情報に対応する登録者の識別情報のみを表示する第１表示手段、
前記第１表示手段による表示に基づく選択操作に応じて、前記登録者の識別情報を選択する選択手段、および
前記選択手段によって選択された登録者の識別情報に対応する電話番号をショートメッセージサービスのメールの宛先として設定する設定手段を備える、携帯電話端末。
【請求項２】
ショートメッセージサービス機能を備えた携帯電話端末であって、
登録者の携帯電話端末のキャリア情報が当該登録者の携帯電話端末の電話番号および当該登録者の識別情報と対応つけて登録されたアドレス帳を記憶する第１記憶手段、
自端末のキャリア種別を記憶する第２記憶手段、
ショートメッセージサービスのメールの宛先選択開始操作に応じて、前記アドレス帳に登録されている登録者の識別情報のうち、前記第２記憶手段に記憶されている自端末のキャリア種別と同一であることを示すキャリア情報に対応する登録者の識別情報を他の登録者の識別情報から区別して表示する第１表示手段、
前記第１表示手段による表示に基づく選択操作に応じて、他の登録者から区別して表示された登録者の識別情報を選択する選択手段、および
前記選択手段によって選択された登録者の識別情報に対応する電話番号をショートメッセージサービスのメールの宛先として設定する設定手段を備える、携帯電話端末。
【請求項３】
前記設定手段は、
前記選択手段によって選択された登録者の識別情報に対応つけて前記アドレス帳に登録されている電話番号のうち、前記第２記憶手段に記憶されている自端末のキャリア種別と同一であることを示すキャリア情報に対応する電話番号のみを表示する第２表示手段を備え、
第２表示手段による表示に基づく選択操作に応じた電話番号をショートサービスメールのメールの宛先として設定する、請求項１または２記載の携帯電話端末。
【請求項４】
通話の終了を検出する終話検出手段、
前記検出手段が通話の終了を検出した際に、当該通話に係る電話番号に対応して前記アドレス帳に登録されているキャリア種別の当該アドレス帳への登録から所定の期間が経過しているか否かを判断する判断手段、および
前記判断手段により所定の期間が経過していると判断されたとき、当該通話に係る電話番号に対応するキャリア種別の確認をユーザに促す促し手段をさらに備える、請求項１ないし３のいずれかに記載の携帯電話端末。
【請求項５】
登録操作に応じて、前記アドレス帳に、登録者の携帯電話端末のキャリア情報を、当該登録者の携帯電話端末の電話番号および当該登録者の識別情報と対応つけて登録する登録手段をさらに備える、請求項１ないし４のいずれかに記載の携帯電話端末。
【請求項６】
前記登録手段は、前記アドレス帳に登録された登録者の電子メールアドレスのドメインに基づいて判別されたキャリア種別に基づく前記キャリア情報を登録する、請求項５記載の携帯電話端末。
【請求項７】
前記登録手段は、相手の電話機との通話の際に受信する信号に基づいて判別されたキャリア種別に基づく前記キャリア情報を登録する、請求項５記載の携帯電話端末。
【発明の詳細な説明】
【技術分野】
【０００１】
この発明は、携帯電話端末に関し、特に、ショートメッセージサービス機能を備えた携帯電話端末に関する。
【背景技術】
【０００２】
現在、携帯電話サービスを提供する各キャリアが提供する携帯電話端末は一般的にショートメッセージサービス（以下、“ＳＭＳ（Short Massage Service）”と記載する。）機能を備えている。ここで、キャリアとは、自社で回線網などの通信設備を備えている第一種電気通信事業者に分類される通信事業者のことであり、ＮＴＴやＫＤＤＩなどがこれにあたる。また、ＳＭＳとは、同一キャリアによるサービス提供下にある携帯電話端末間で、電話番号を宛先として指定してメールを送信するサービスである。たとえば、ＮＴＴ（ｄｏｃｏｍｏ）はショートメールという名称のＳＭＳを提供しており、ＫＤＤＩ（ａｕ）はＣメールという名称のＳＭＳを提供している。ＳＭＳのメールで送受信可能な文字は半角で１００文字程度であり、メールアドレスを指定して送信する電子メール（Ｅメール）に比べて少ない。しかし、ＳＭＳのメールは相手がメールを受け取ったことを確認することが可能であり、また、メールの受信側には通信費がかからないという点から利用価値がある。
【０００３】
携帯電話端末の利用者は繰り返し通信をする可能性のある相手を携帯電話端末が備えるアドレス帳に登録する。そして、通常、ＳＭＳのメールの宛先を指定する場合も、このアドレス帳を呼び出してアドレス帳に登録されている電話番号を選択して指定する。上述したように、ＳＭＳのメールは、同一キャリアによるサービス提供下にある携帯電話端末間においてのみ送受信が可能であるが、アドレス帳に数多く登録されている情報の中からＳＭＳメールを送信したい相手およびその電話番号を選択することは非常に手間である。また、ＳＭＳのメールを送信したい相手の携帯電話端末が自身の携帯電話端末と同一のキャリアによるサービス下にあるか否かを知ること、つまり所望の相手にＳＭＳのメールを送信することが可能であるか否かを知ることは困難であった。そこで、特許文献１に記載されているように、アドレス帳を呼び出してＳＭＳのメールの宛先としての電話番号を指定する際に、自身の携帯電話端末と同一キャリアによるサービス下にある電話番号が登録されている登録者の名称のみを表示するという技術が発明されている。
【０００４】
特許文献１に記載の技術では、携帯電話端末に割り当てられた電話番号に基づいて当該携帯電話端末にサービスを提供しているキャリアを識別している。かつては、キャリア毎に割り当てが可能な電話番号が規定されていた。たとえば、携帯電話端末に割り当てられた電話番号が「090-1234-5678」であるとすると、先頭から４桁から６桁までの「123」によってキャリアを特定することができた。
【特許文献１】特開２００２−３２００２５号公報［H04M 1/275, G06F 13/00, H04M 11/00, H04Q 7/38］
【発明の開示】
【発明が解決しようとする課題】
【０００５】
しかし、日本では、２００６年１０月２４日より、ナンバーポータビリティ（ＮＭＰ）制度がスタートした。ナンバーポータビリティ制度とは、利用者が携帯電話端末にサービスを提供するキャリアを変更した場合に、以前の電話番号をそのまま新たなキャリアによってサービスが提供される携帯電話端末で利用できるという制度である。そのため、特許文献１に記載されているような技術では、電話番号に基づいてキャリアを特定することができなくなるという問題が発生した。
【０００６】
それゆえに、この発明の主たる目的は、新規な、携帯電話端末を提供することである。
【０００７】
この発明の他の目的は、ＳＭＳのメールの宛先として有効な電話番号をアドレス帳に基づいて簡便に選択することが可能な携帯電話端末を提供することである。
【課題を解決するための手段】
【０００８】
この発明は、上記の課題を解決するために、以下の構成を採用した。なお、括弧内の参照番号および補足説明などは、この発明の理解を助けるために記述する実施形態との対応関係を示したものであって、この発明をなんら限定するものではない。
【０００９】
第１の発明は、ショートメッセージサービス機能を備えた携帯電話端末であって、登録者の携帯電話端末のキャリア情報が、当該登録者の携帯電話端末の電話番号および当該登録者の識別情報と対応つけて登録されたアドレス帳を記憶する第１記憶手段、自端末のキャリア種別を記憶する第２記憶手段、ショートメッセージサービスのメールの宛先選択開始操作に応じて、アドレス帳に記憶されている登録者の識別情報のうち、第２記憶手段に記憶されている自端末のキャリア種別と同一であることを示すキャリア情報に対応する登録者の識別情報のみを表示する第１表示手段、第１表示手段による表示に基づく選択操作に応じて、登録者の識別情報を選択する選択手段、および選択手段によって選択された登録者の識別情報に対応する電話番号をショートメッセージサービスのメールの宛先として設定する設定手段を備える、携帯電話端末である。
【００１０】
第１の発明によれば、携帯電話機（１０）はショートメッセージサービス機能を備えている。そして、第１記憶手段（１８）は、登録者の携帯電話端末のキャリア情報（５０ｇ）が、当該登録者の携帯電話端末の電話番号（５０ｆ）および当該登録者の識別情報（５０ａ）と対応つけて登録されたアドレス帳を記憶し、第２記憶手段（１８）は、自端末のキャリア種別（４０ｃ）を記憶する。また、第１表示手段（１２、Ｓ７）は、ショートメッセージサービスのメールの宛先選択開始操作に応じて、アドレス帳に記憶されている登録者の識別情報のうち、第２記憶手段に記憶されている自端末のキャリア種別と同一であることを示すキャリア情報に対応する登録者の識別情報のみを表示する。そして、選択手段（１２、Ｓ２１）は、第１表示手段による表示に基づく選択操作に応じて、登録者の識別情報を選択し、設定手段（１２、Ｓ３５）は、選択手段によって選択された登録者の識別情報に対応する電話番号をショートメッセージサービスのメールの宛先として設定する。
【００１１】
なお、キャリア種別とは、たとえば、ｄｏｃｏｍｏやａｕなどの具体的な通信事業者の名称を示す情報である。そして、キャリア情報とは、キャリア種別と同様に通信事業者の名称を示す情報であってもよいし、たとえば、電子メールアドレス（のドメイン）のように通信事業者を特定することが可能な情報であってもよいし、また、“○”や“×”などのように単に自端末のキャリア種別と同じキャリア種別であるか否かを示す情報であってもよい。
【００１２】
第１の発明によれば、ショートメッセージサービスのメールの宛先として有効な電話番号をアドレス帳に基づいて簡便に選択することができる。
【００１３】
第２の発明は、ショートメッセーサービス機能を備えた携帯電話端末であって、登録者の携帯電話端末のキャリア情報が、当該登録者の携帯電話端末の電話番号および当該登録者の識別情報と対応つけて登録されたアドレス帳を記憶する第１記憶手段、自端末のキャリア種別を記憶する第２記憶手段、ショートメッセーサービスのメールの宛先選択開始操作に応じて、アドレス帳に登録されている登録者の識別情報のうち、第２記憶手段に記憶されている自端末のキャリア種別と同一であることを示すキャリア情報に対応する登録者の識別情報を他の登録者の識別情報から区別して表示する第１表示手段、第１表示手段による表示に基づく選択操作に応じて、他の登録者から区別して表示された登録者の識別情報を選択する選択手段、および選択手段によって選択された登録者の識別情報に対応する電話番号をショートメッセーサービスのメールの宛先として設定する設定手段を備える、携帯電話端末である。
【００１４】
第２の発明によれば、携帯電話機（１０）はショートメッセージサービス機能を備えている。そして、第１記憶手段（１８）は、登録者の携帯電話端末のキャリア情報（５０ｇ）が、当該登録者の携帯電話端末の電話番号（５０ｆ）および当該登録者の識別情報（５０ａ）と対応つけて登録されたアドレス帳を記憶し、第２記憶手段（１８）は、自端末のキャリア種別（４０ｃ）を記憶する。また、第１表示手段（１２、Ｓ７）は、ショートメッセージサービスのメールの宛先選択開始操作に応じて、アドレス帳に記憶されている登録者の識別情報のうち、第２記憶手段に記憶されている自端末のキャリア種別と同一であることを示すキャリア情報に対応する登録者の識別情報を他の登録者の識別情報から区別して表示する。そして、選択手段（１２、Ｓ２１）は、第１表示手段による表示に基づく選択操作に応じて、他の登録者から区別して表示された登録者の識別情報を選択し、設定手段（１２、Ｓ３５）は、選択手段によって選択された登録者の識別情報に対応する電話番号をショートメッセージサービスのメールの宛先として設定する。
【００１５】
なお、キャリア種別とは、たとえば、ｄｏｃｏｍｏやａｕなどの具体的な通信事業者の名称を示す情報である。そして、キャリア情報とは、キャリア種別と同様に通信事業者の名称を示す情報であってもよいし、たとえば、電子メールアドレス（のドメイン）のように通信事業者を特定することが可能な情報であってもよいし、また、“○”や“×”などのように単に自端末のキャリア種別と同じキャリア種別であるか否かを示す情報であってもよい。
【００１６】
第２の発明によれば、ショートメッセージサービスのメールの宛先として有効な電話番号をアドレス帳に基づいて簡便に選択することができる。
【００１７】
第３の発明は、第１の発明および第２の発明に従属する発明であって、設定手段は、選択手段によって選択された登録者の識別情報に対応つけてアドレス帳に登録されている電話番号のうち、第２記憶手段に記憶されている自端末のキャリア種別と同一であることを示すキャリア情報に対応する電話番号のみを表示する第２表示手段を備え、第２表示手段による表示に基づく選択操作に応じた電話番号をショートメッセージサービスのメールの宛先として設定する。
【００１８】
第３の発明によれば、設定手段（１２、Ｓ３５）は、選択手段（１２、Ｓ２１）によって選択された登録者の識別情報（５０ａ）に対応つけてアドレス帳（４２）に登録されている電話番号（５０ｆ）のうち、第２記憶手段（１８）に記憶されている自端末（１０）のキャリア種別（４０ｃ）と同一であることを示すキャリア情報（５０ｇ）に対応する電話番号のみを表示する第２表示手段（１２、Ｓ２７）を備え、第２表示手段による表示に基づく選択操作に応じた電話番号をショートメッセージサービスのメールの宛先として設定する。
【００１９】
第３の発明によれば、ショートメッセージサービスのメールの宛先として有効な電話番号をアドレス帳に基づいて簡便に選択することができる。
【００２０】
第４の発明は、第１の発明ないし第３の発明のいずれかに従属する発明であって、通話の終了を検出する終話検出手段、検出手段が通話の終了を検出した際に、当該通話に係る電話番号に対応してアドレス帳に登録されているキャリア種別の当該アドレス帳への登録から所定の期間が経過しているか否かを判断する判断手段、および判断手段により所定の期間が経過していると判断されたとき、当該通話に係る電話番号に対応するキャリア種別の確認を利用者に促す促し手段をさらに備える。
【００２１】
第４の発明によれば、終話検出手段（１２、Ｓ４９）は通話の終了を検出する。そして、判断手段（１２、Ｓ５５）は、検出手段が通話の終了を検出した際に、当該通話に係る電話番号（５０ｆ）に対応してアドレス帳（４２）に登録されているキャリア種別（５０ｇ）の当該アドレス帳への登録（５０ｈ）から所定の期間（５０ｉ）が経過しているか否かを判断し、促し手段（１２、Ｓ５７）は、判断手段により所定の期間が経過していると判断されたとき、当該通話に係る電話番号に対応するキャリア種別の確認を利用者に促す。
【００２２】
第４の発明によれば、携帯電話機の利用者に、アドレス帳に登録されている電話番号のキャリア種別の確認を定期的に促すことができる。
【００２３】
第５の発明は、第１の発明ないし第４の発明のいずれかに従属する発明であって、登録操作に応じて、アドレス帳に、登録者の携帯電話端末のキャリア情報を、当該登録者の携帯電話端末の電話番号および当該登録者の識別情報と対応つけて登録する登録手段をさらに備える。
【００２４】
第５の発明によれば、登録手段（１２）は、登録操作に応じて、アドレス帳（４２）に、登録者の携帯電話端末のキャリア情報（５０ｇ）を、当該登録者の携帯電話端末の電話番号（５０ｆ）および当該登録者の識別情報（５０ａ）と対応つけて登録する。
【００２５】
第５の発明によれば、利用者は、アドレス帳に、登録者の携帯電話端末のキャリア情報を、当該登録者の携帯電話端末の電話番号および当該登録者の識別情報と対応つけて登録することができる。
【００２６】
第６の発明は、第５の発明に従属する発明であって、登録手段は、アドレス帳に登録された登録者の電子メールアドレスのドメインに基づいて判別されたキャリア種別に基づくキャリア情報を登録する。
【００２７】
第６の発明では、登録手段（１２）は、アドレス帳（４２）に登録された登録者の電子メールアドレス（５０ｑ）のドメインに基づいて判別されたキャリア種別に基づくキャリア情報（５０ｇ）を登録する。
【００２８】
第６の発明によれば、登録するキャリア情報のキャリア種別が電子メールアドレスのドメインに基づいて判別されるので、利用者の手間を省くことができる。
【００２９】
第７の発明は、請求項５の発明に従属する発明であって、登録手段は、相手の電話機との通話の際に受信する信号に基づいて判別されたキャリア種別に基づくキャリア情報を登録する。
【００３０】
第７の発明では、登録手段（１２）は、相手の電話機との通話の際に受信する信号に基づいて判別されたキャリア種別に基づくキャリア情報（５０ｇ）を登録する。
【００３１】
第７の発明によれば、登録するキャリア情報のキャリア種別が相手の電話機との通話の際に受信する信号に基づいて判別されるので、利用者の手間を省くことができる。
【発明の効果】
【００３２】
この発明によれば、ＳＭＳメールの宛先として有効な電話番号をアドレス帳に基づいて簡便に選択することができるという効果が期待できる。
【００３３】
この発明の上述の目的、その他の目的、特徴および利点は、図面を参照して行う以下の実施例の詳細な説明から一層明らかとなろう。
【発明を実施するための最良の形態】
【００３４】
図１を参照して、携帯電話端末としての携帯電話機１０は、プロセッサ１２を含む。図１からわかるように、プロセッサ１２には、ＲＡＭ（Random Access Memory）１４、ＲＯＭ（Read Only Memory）１６、フラッシュメモリ１８、キー入力装置２０、ＬＣＤ（Liquid Crystal Display）ドライバ２２、マイク２６、スピーカ２８、計時回路３０および無線通信回路３２がそれぞれ接続されている。
【００３５】
ＲＡＭ１４は、プロセッサ１２から直接的にアクセスが可能な記憶装置であり、プロセッサ１２の情報演算処理の際の一時記憶に利用される。
【００３６】
ＲＯＭ１６は、たとえば、電気的に書き換えが可能なＥＥＰＡＲＯＭ（Electrically Erasable and Programmable Read Only Memory）であり、プロセッサ１２によって実行される各種のプログラムやこれらのプログラムで利用される種々のデータを記憶する。
【００３７】
フラッシュメモリ１８は、フラッシュＲＯＭとも呼ばれ、データの読み書きが自由で不揮発性を備えた記憶装置であり、たとえば、携帯電話機１０に着脱自在なＳＩＭ（International Mobile Subscriber Identity）カードである。このフラッシュメモリ１８には、当該携帯電話機１０の所有者についての情報であるプロフィール情報４０、アドレス帳４２、およびドメインテーブル４４が記憶されている。
【００３８】
キー入力装置２０は、テンキー群２０Ｔ（図２参照）をはじめとする複数のキーを備えており、利用者がそれぞれのキーを押圧することによってプロセッサ１２に対して指示を与えたり値を入力したりする。
【００３９】
ＬＣＤドライバ２２は、当該ＬＣＤドライバ２２に接続されたＬＣＤモニタ２４を制御してプロセッサ１２からの指示に応じた文字や画像などをＬＣＤモニタ２４に表示させる。
【００４０】
マイク２６は、利用者の発する音声を拾って電気信号に変換し、当該電気信号をプロセッサ１２に出力する。また、スピーカ２８は、プロセッサ１２から与えられた電気信号を音声に変えて出力するものである。
【００４１】
計時回路３０は、時を計るための回路であり、プロセッサ１２からの要求に応じて現在の年月日の情報などを返信する。
【００４２】
無線通信回路３２は、たとえば、ＣＤＭＡ（Code Division Multiple Access：符号分割多重接続）方式での無線通信を実現するための回路である。キー入力装置２０に対して発呼操作が行われると、プロセッサ１２は、無線通信回路３２を制御して発呼信号を出力する。無線通信回路３２から出力された発呼信号は、アンテナ３４から出力され、基地局を含む移動通信網を経て相手の電話機に送信される。通信相手の電話機で着呼操作が行われると、通信可能状態が確立される。
【００４３】
通信可能状態に移行した後にキー入力装置２０に対して通話終了操作が行われると、プロセッサ１２は、無線通信回路３２を制御して、通信相手の電話機に通話終了信号を送信する。通話終了信号の送信後、プロセッサ１２は、通話処理を終了する。先に通信相手から通話終了信号を受信した場合も、プロセッサ１２は、通話処理を終了する。また、通信相手によらず、移動通信網から通話終了信号を受信した場合も、プロセッサ１２は通話処理を終了する。
【００４４】
通信相手の電話機からの発呼信号がアンテナ３４によって捉えられると、無線通信回路３２は、着信をプロセッサ１２に通知する。プロセッサ１２は、着信通知に記述された発信元情報をＬＣＤモニタ２４に出力し、図示しない着信通知用のスピーカから着信音を出力する。キー入力装置２０に対して着呼操作が行われると、通信可能状態が確立される。
【００４５】
通信可能状態では、次のような処理が実行される。通信相手の電話機から送られてきた変調音声信号（高周波信号）が、アンテナ３４によって受信される。受信された変調音声信号は、無線通信回路３２によって復調処理および復号処理が施される。これらの処理によって得られた受話音声信号は、スピーカ２８から出力される。マイク２６によって取り込まれた送話音声信号は、無線通信回路３２によって符号化処理および変調処理が施される。これらの処理によって得られた変調音声信号は、上述と同様に、アンテナ３４を介して通信相手の電話機に送信される。
【００４６】
図２は、携帯電話機１０の外観図である。図２を参照して、携帯電話機１０は、板状に形成されたケースＣを有する。ケースＣの長さ方向の一端の側面には、無線通信用のアンテナ３４が配置されている。ケースＣの表面の下部には、キー入力装置２０が配置されている。キー入力装置２０は、テンキー群２０Ｔ、上方向キー２０ａ、下方向キー２０ｂ、左方向キー２０ｃ、右方向キー２０ｄ、センターキー（ファンクションキー）２０ｅ、ＳＭＳメールキー（ファンクションキー）２０ｆ、アドレス帳キー（ファンクションキー）２０ｇ、電源／終話キー２２ｈ、および発信キー２２ｉを含んでおり、各キーはプッシュスイッチである。また、ケースＣの表面の上部には、ＬＣＤモニタ２４が配置されている。以下において、利用者が各キーを押圧する操作を「キー入力」と呼ぶ。なお、センターキー２０ｅ、ＳＭＳメールキー２０ｆ、およびアドレス帳キー２０ｇは、ファンクションキーを兼ねている。
【００４７】
さらに、ケースＣの表面の上端付近には、図２では図示しないスピーカ２８に通じる開口ＯＰ１が設けられ、ケースＣの表面の下端付近には、同じく図２では図示しないマイク２６に通じる開口ＯＰ２が設けられている。したがって、利用者は、開口ＯＰ１を通じてスピーカ２８から出力される音声を聞き、開口ＯＰ２を通じてマイク２６に自身の声を入力する。
【００４８】
このような携帯電話機１０は、ＳＭＳ（ショートメッセージサービス）機能を備えており、携帯電話機１０にサービスを提供するキャリアと同一のキャリアによるサービス下にある他の携帯電話機に対してＳＭＳ機能を用いてメールを送信することができる。このＳＭＳ機能を用いて送受信されるメールを“ＳＭＳメール”と呼ぶ。ＳＭＳメールは相手の携帯電話機の電話番号を宛先として指定して送信する。ＳＭＳメールの通信プロトコルなどの通信技術の内容は周知なものであるため詳しい説明は省略する。
【００４９】
フラッシュメモリ２０には、図３に示すようなプロフィール情報４０が記憶されている。このプロフィール情報４０は、携帯電話機１０の所有者についての情報であり、たとえば、図３に示すように、名称４０ａ、ヨミ４ｂ、キャリア種別４０ｃ、電話番号(１)４０ｄ、メールアドレス(１)４０ｅ、電話番号(２)４０ｆ、メールアドレス(２)４０ｇなどの項目の情報である。なお、プロフィール情報４０の各項目には、それぞれの情報が、たとえば、テキスト情報として記憶されている。
【００５０】
このプロフィール情報４０は、ＬＣＤモニタ２４に待ち受け画面（不図示）が表示された状態で、センターキー２０ｅをキー入力してメニューを表示させ、さらにテンキー群２０Ｔに含まれる「０（零）」キーをキー入力すると、図４に示すようにプロフィール画面として表示される。図４に示すように、プロフィール画面には図３のプロフィール情報４０のうち、他の相手先と区別するための名称４０ａ、通信事業者を識別するキャリア種別４０ｃ、電話番号(１)、メールアドレス(１)のみが表示される。このようにフラッシュメモリ２０にプロフィール情報４０の一部として記憶され、図４に示すプロフィール画面に表示されるキャリア種別４０ｃが示すキャリアが、当該携帯電話機１０にサービスを提供しているキャリアである。この実施の形態では、当該携帯電話機１０のキャリアをＢ社としている。したがって、当該携帯電話機１０では、ＳＭＳ機能を利用して、Ｂ社によってサービスが提供されている他の携帯電話機との間でＳＭＳメールの送受信が可能である。
【００５１】
図４のプロフィール画面の下方の下欄中央部ＵＣには“詳細”が、下欄左部ＵＬには“戻る”が、下欄右部ＵＲには“編集”がそれぞれ表示される。下欄中央部ＵＣには、ファンクションキー（センターキー）２０ｅが対応しており、ファンクションキー２０ｅをキー入力すると、下欄中央部ＵＣに表示されている“詳細”をプロセッサ１２に指示することができる。同様に、下欄左部ＵＬはファンクションキー（ＳＭＳメールキー）２０ｆに、下欄右部ＵＲはファンクションキー（アドレス帳キー）２０ｇにそれぞれ対応しており、ファンクションキー２０ｆをキー入力すると“戻る”を、ファンクションキー２０ｇをキー入力すると“編集”をそれぞれプロセッサ１２に指示することができる。これらの各ファンクションキー２０ｅ、２０ｆおよび２０ｇと下欄中央部ＵＣ、下欄左部ＵＬ、および下欄右部ＵＲとの対応は、後述するいずれのＬＣＤモニタ２４の表示においても同じである。
【００５２】
ファンクションキー２０ｅをキー入力して“詳細”を指示すると、プロフィール情報４０のすべての情報を表示することができる。また、ファンクションキー２０ｇをキー入力して“編集”を指示すると、プロフィール情報４０の各情報を編集することができる。ただし、プロフィール情報４０の情報のうち、キャリア種別４０ｃ、電話番号(１)４０ｄ、およびメールアドレス(１)４０ｅの情報は、携帯電話機１０に割り当てられた情報であり、プロフィール画面の下欄右部ＵＲの“編集”を指示することによっては編集することができない。なお、ファンクションキー２０ｆをキー入力して“戻る”を指示すると、待ち受け画面に戻る。
【００５３】
また、上述したように、フラッシュメモリ１８には、アドレス帳４２が記憶されており、ＬＣＤモニタ２４に待ち受け画面が表示されている状態で、アドレス帳キー（ファンクションキー）２０ｇをキー入力することにより、アドレス帳４２のデータを呼び出して、図５に示すようにその内容をＬＣＤモニタ２４に表示することができる。図５に示したアドレス帳４２を表示した画面では、上部に表示行選択欄６０が表示される。左方向キー２０ｃおよび右方向キー２０ｄをキー入力して表示行選択欄６０に表示されているカーソルＣ１（文字表示が反転している部分。以下同じ。）を移動させて、表示行選択欄６０に表示されている“あかさたなはまやらわＡ”のいずれかを選択することができる。そして、カーソルＣ１によって選択された“あかさたなはまやらわＡ”のいずれかの“行（たとえば、あ行）”に、ヨミ（読み）の先頭の文字が属する名称が表示される。図５の例は、アドレス帳４２を呼び出した初期状態を示すものであり、ヨミの先頭の文字が“あ行”に属する個人などの名称が表示されている。
【００５４】
アドレス帳４２は、たとえば、ＩＭＣ（Internet Mail Consortium）が定めた電子名刺の世界標準フォーマットである“ｖＣａｒｄ”に準じた構成であり、１件（一人分）のデータをｖｃｆファイルとして記憶している。以下において、このｖｃｆファイルを“アドレス帳ファイル５０”と呼ぶ。
【００５５】
アドレス帳ファイル５０には、たとえば、図６に示すような項目が記憶されている。つまり、アドレス帳ファイル５０には、名称５０ａ、ヨミ５０ｂ、電話番号(１)５０ｃ、キャリア種別(１)５０ｄ、キャリア変更確認(１)５０ｅ、電話番号(２)５０ｆ、キャリア種別(２)５０ｇ、最終キャリア変更確認(２)５０ｈ、キャリア変更確認(２)５０ｉ、電話番号(３)５０ｊ、キャリア種別(３)５０ｋ、最終キャリア変更確認(３)５０ｍ、キャリア変更確認(３)５０ｎ、メールアドレス(１)、メールアドレス(２)、およびメールアドレス(３)の項目が記憶されている。ここで、電話番号(１)５０ｃとキャリア種別(１)５０ｄとキャリア変更確認(１)５０ｅ、電話番号(２)５０ｆとキャリア種別(２)５０ｇと最終キャリア変更確認(２)５０ｈとキャリア変更確認(２)５０ｉ、および電話番号(３)５０ｊとキャリア種別(３)５０ｋと最終キャリア変更確認(３)５０ｍとキャリア変更確認(３)５０ｎは互いに紐付けされ、対応つけて記憶されている。なお、名称５０ａの項目に記憶されている情報が登録者の識別情報である。また、アドレス帳ファイル５０の各項目にはそれぞれの情報が、たとえば、テキスト情報として記憶されている。
【００５６】
図５に示したアドレス帳４２の表示状態において、下方向キー２０ｂをキー入力してカーソルＣ２をたとえば“小野小町”に移動させて、ファンクションキー（センターキー）２０ｅをキー入力して、下欄中央部ＵＣの“選択”を指示すると、図６に示した、アドレス帳ファイル５０に基づいて、“小野小町”についての登録内容が図７に示すように、ＬＣＤモニタ２４に表示される。
【００５７】
図７からわかるように、ＬＣＤモニタ２４には、アドレス帳ファイル５０に登録されている、電話番号(１)５０ｃ、電話番号(２)５０ｆ、電話番号(３)５０ｊ、メールアドレス(１)５０ｐ、メールアドレス(２)５０ｑ、およびメールアドレス(３)５０ｒの項目の内容が表示される。また、電話番号(２)５０ｆに基づいて表示されている“０９０１２３４ｘｘｘｘ”は、先頭の“０９０”から判断できるように携帯電話機の電話番号である。そして、この電話番号の表示の後部６２には、当該電話番号が割り当てられている携帯電話機にサービスを提供しているキャリアの種別が“Ｂ社”であることが、キャリア種別(２)５０ｇの項目に記憶されている情報（キャリア情報）基づいて表示される。一方、電話番号(３)５０ｊの項目に基づいて表示されている“０９０５６７８ｘｘｘｘ”の番号の表示の後部６３には、キャリア種別として“不明”がキャリア種別(３)５０ｋの項目に基づいて表示される。なお、電話番号(１)５０ｃに基づいて表示されている“０１８ｘｘｘｘｘｘｘ”は固定電話の電話番号であり、電話番号の表示の後部６１には、キャリア種別(１)５０ｄの項目の“設定しない”という登録内容に基づいて“−−”が表示される。
【００５８】
上述したように、当該携帯電話機１０にサービスを提供しているキャリアはＢ社であるので、当該携帯電話機１０からは、図７に示した、キャリアが同様にＢ社である、“０９０１２３４ｘｘｘｘ”を宛先としてＳＭＳメールを送信することができる。なお、アドレス帳４２へのキャリア種別(１)５０ｄ、(２)５０ｇ、(３)５０ｋの登録方法については後述する。
【００５９】
携帯電話機１０のＬＣＤモニタ２４に待ち受け画面が表示されている状態で、ＳＭＳメールキー２０ｆをキー入力すると、ＬＣＤモニタ２４に図８に示すような、ＳＭＳメールメニューが表示される。カーソルＣ３を“新規作成”にあわせた状態でファンクションキー２０ｅをキー入力して下欄中央部ＵＣの“選択”を指示すると、ＳＭＳメールの新規作成を開始することができる。なお、“受信ボックス”にカーソルＣ３をあわせて“選択”を指示すると、これまでに受信したＳＭＳメールの一覧を表示することができ、また“送信ボックス”にカーソルＣ３をあわせて“選択”を指示すると、これまでに送信したＳＭＳメールの一覧を表示することができる。
【００６０】
“新規作成”の“選択”を指示すると、ＬＣＤモニタ２４に、図９に示すような、ＳＭＳメールの宛先の設定方法を選択するための画面が表示される。この図９に示す画面において、カーソルＣ４を“アドレス帳呼出”にあわせた状態で、ファンクションキー２０ｅをキー入力して下欄中央部ＵＣの“選択”を指示すると、アドレス帳４２を呼び出して、アドレス帳４２に登録されている電話番号を選択してＳＭＳメールの宛先として指定することができる。
【００６１】
また、カーソルＣ４を“送信履歴呼出”にあわせて“選択”を指示すると、これまでにＳＭＳメールを送信した宛先の電話番号の一覧から選択してＳＭＳメールの宛先とすることができ、カーソルＣ４を“受信履歴呼出”にあわせて“選択”を指示すると、これまでに受信したＳＭＳメールの送信元の電話番後の一覧から選択してＳＭＳメールの宛先とすることができる。さらに、カーソルＣ４を“電話番号入力”にあわせて“選択”を指示すると、利用者がテンキー群２０Ｔの各キーを操作して宛先の電話番号を直接的に入力することができる。
【００６２】
“アドレス帳呼出”の“選択”を指示すると、ＬＣＤモニタ２４には、図１０に示すようにアドレス帳４２の登録内容が表示される。図１０においては、表示行選択欄６０のカーソルＣ１が“あ行”の位置にあることからわかるように、アドレス帳４２に登録されているヨミが“あ行”から始まる個人などの名称（５０ａ（図６参照））が表示されている。ただし、ヨミが“あ行”から始まる個人の名称のうち、当該個人のアドレス帳ファイル５０において、図６に示したように、キャリア種別(２)５０ｇに登録されたキャリア種別が、当該携帯電話機１０のキャリア種別４０ｃ（図３参照）と同じ“Ｂ社”である携帯電話番号(２)５０ｆが登録されている個人の名称のみが表示される。つまり、図１０において表示されている、“青島俊作”、“沖田総司”、および“小野小町”のそれぞれのアドレス帳ファイル５０には、“Ｂ社”を示すキャリア種別を記憶した項目に対応つけられた、電話番号を記憶した項目が登録されている。逆に言えば、先の図５を参照して、図１０において表示されていない“アガサ・クリスティー”、“安藤広重”、および“岡本太郎”のそれぞれのアドレス帳ファイル５０には、“Ｂ社”を示すキャリア種別を記憶した項目に対応つけられた、電話番号を記憶した項目が登録されていない。
【００６３】
さらに、ＬＣＤモニタ２４の表示が図１０に示す状態において、下方向キー２０ｂをキー入力してカーソルＣ２を“小野小町”にあわせた状態で、ファンクションキー２０ｅをキー入力して下欄中央部ＵＣの“選択”を指示すると、図１１に示すように、図６の“小野小町”のアドレス帳ファイル５０に登録された電話番号が表示される。ただし、図６および図１１からわかるように、“Ｂ社”を示すキャリア種別を記憶した項目に対応つけられた項目に記憶された電話番号、つまりキャリア種別(２)５０ｇの項目に対応つけられた電話番号(２)５０ｆの項目に記憶された“０９０１２３４ｘｘｘｘ”のみが表示される。なお、アドレス帳ファイル５０に、“Ｂ社”を示すキャリア種別を記憶した項目に対応つけられた、電話番号を記憶した項目が複数存在する場合には、図１１の画面には複数の電話番号が表示される。ＬＣＤモニタ２４の表示が図１１に示した状態で、カーソルＣ５を目的の電話番号にあわせて、ファンクションキー２０ｅをキー入力して下欄中央部ＵＣの“選択”を指示すると、カーソルＣ５があわさっている電話番号がＳＭＳメールの宛先として選択（設定）される。
【００６４】
このようにしてＳＭＳメールの宛先を選択すると、ＬＣＤモニタ２４には、図１２に示すようなＳＭＳメールの本文を作成するための画面が表示される。利用者がこの画面で、テンキー群２０Ｔの各キーをキー入力して本文を作成し、ファンクションキー２０ｅをキー入力して下欄中央部ＵＣの“確定”を指示すると、本文の作成が終了して図１３に示すような確認画面が表示される。図１３の確認画面では、ＳＭＳメールの宛先の名称６４と本文６５とが表示される。
【００６５】
ＬＣＤモニタ２４の表示が図１３に示した状態で、つまりカーソルＣ６が宛先の名称６４にあわさった状態で、ファンクションキー２０ｅをキー入力して下欄中央部ＵＣの“選択”を指示すると、ＬＣＤモニタ２４の表示が図１１に示した状態に戻り、その後キャンセルすることで図９の選択画面となり、再度、宛先の電話番号を選択することができる。また、図１３の状態で、下方向キー２０ｂをキー入力してカーソルＣ６を本文６５にあわせた状態で、ファンクションキー２０ｅをキー入力して下欄中央部ＵＣの“選択”を指示すると、ＬＣＤモニタ２４の表示が図１２に示した状態に戻り（ただし、本文が入力された状態）、本文の編集を行うことができる。
【００６６】
そして、ＬＣＤモニタ２４の表示が図１３の状態で、ファンクションキー２０ｆをキー入力して下欄左部ＵＬの“送信”を指示すると、本文６５を内容とするＳＭＳメールが宛先の名称６４の個人に、つまり図１１において選択した電話番号が割り当てられた携帯電話機に対して送信される。この例では、先に宛先を選択し、その後、本文を入力しているが、本文を入力した後、宛先を選択するようにしてもよい。
【００６７】
以上に説明したように、アドレス帳４２の内容を表示し、この表示に従ってＳＭＳメールの宛先の電話番号を選択する際に、携帯電話機１０のプロセッサ１２が実行するルーチンの処理について図１４および図１５に示すフロー図を参照して説明する。なお、プロセッサ１２は図１４および図１５に示す処理をＲＯＭ１６に記憶されているプログラムに従って実行する。以下の説明において、１つのアドレス帳ファイル５０を“レコード”と呼び、アドレス帳ファイル５０に記憶されている各項目を“アイテム”と呼ぶ。また、各レコードは、登録されている個人などの名称のヨミ（５０ｂ（図６参照））の先頭の文字が属する行（“あ行”や“か行”など）ごとにページを構成しているものとする。また、レコードはページ内ではヨミのあいうえお順にソートされているものとする。
【００６８】
まず、プロセッサ１２は、図１４のステップＳ１において、利用者によってＳＭＳメールの宛先を選択する操作が行われたか否かを判断する。この宛先を選択する操作とは、先の図９に示したＬＣＤモニタ２４の表示状態における“アドレス帳呼出”の選択の操作である。ステップＳ１において、宛先の選択の操作が行われたと判断すると（ステップＳ１：ＹＥＳ）、プロセッサ１２は、ステップＳ３において、アドレス帳４２の先頭ページ、つまり“あ行”のページの先頭レコードをポインタＰ１でポイントする。図５の例でいえば、“青島俊作”についての情報が登録されているレコードをポイントする。
【００６９】
次に、ステップＳ５において、現在ポイントしているレコードに、当該携帯電話機１０にサービスを提供しているキャリアである“Ｂ社”とキャリア種別が同じである、電話番号を登録したアイテムが存在するか否かを判断する。具体的には、現在ポイントしているレコードの各アイテムを検索し、当該携帯電話機１０の所有者の情報であるプロフィール情報４０（図３参照）のキャリア種別４０ｃに記憶されているキャリア種別（Ｂ社）と同じキャリア種別を記憶しているアイテムが存在するか否かを判断する。
【００７０】
ステップＳ５において、同じキャリア種別を記憶しているアイテムが存在すると判断すると（ステップＳ５：ＹＥＳ）、ステップＳ７で当該レコードをＲＡＭ１４にコピーして、ＲＡＭ１４にコピーされたレコードに基づいて当該レコードの名称のアイテム（５０ａ（図６参照））に記憶されている名称をＬＣＤモニタ２４に表示する。一方、同じキャリア種別を記憶しているアイテムが存在しないと判断すると（ステップＳ５：ＮＯ）、ステップＳ７をスキップする。
【００７１】
そして、ステップＳ９では、現在ポイントしているレコードが当該ページの最後のレコードであるか否かを判断する。最後のレコードでないと判断すると（ステップＳ９：ＮＯ）、ステップＳ１１で、当該ページの次のレコードをポイントしてステップＳ５に戻る。したがって、当該ページの最後のレコードになるまで、ステップ７における、キャリア種別が当該携帯電話機１０のキャリア種別と同じであるレコードの名称のアイテム５０ａに記憶されている名称の表示が繰り返される。その結果、ＬＣＤモニタ２４には、図１０に示すように、ＳＭＳメールを送信することが可能な相手の名称の一覧が表示される。
【００７２】
一方、最後のレコードであると判断すると（ステップＳ９：ＹＥＳ）、ステップＳＳ１３において、前進操作が行われたか否かを判断する。
【００７３】
ここで、前進操作とは、レコードをポイントしているページを前に進める操作のことであり、図１０に示すＬＣＤモニタ２４の表示の状態において、右方向キー２０ｄをキー入力して、カーソルＣ１を表示行選択欄６０の“あ行”の位置から“か行”の位置に移動させる操作に該当する。ステップＳ１３において前進操作が行われたと判断すると（ステップＳ１３：ＹＥＳ）、ステップＳ１５において現在ポイントしているレコードが属するページの先のページの先頭レコードをポイントしてステップＳ５に戻る。この際、ＲＡＭ１４に記憶されている古いページのレコードはすべて消去される。
【００７４】
一方、ステップＳ１３において前進操作が行われなかったと判断すると（ステップＳ１３：ＮＯ）、ステップＳ１７において後進操作が行われたか否かを判断する。ここで、後進操作とは、レコードをポイントしているページを後退させる操作のことであり、図１０に示すＬＣＤモニタ２４の表示の状態において、左方向キー２０ｃをキー入力して、カーソルＣ１を表示行選択欄６０の“あ行”の位置から“Ａ（アルファベット）”の位置に移動させる操作に該当する。
【００７５】
ステップＳ１７において後進操作が行われたと判断すると（ステップＳ１７：ＹＥＳ）、ステップＳ１９において現在ポイントしているレコードが属するページの後のページの先頭レコードをポイントしてステップＳ５に戻る。この際、ＲＡＭ１４に記憶されている古いページのレコードはすべて消去される。なお、アドレス帳４２のページはサイクリックに構成されており、先頭ページ（“あ行”のページ）の１つ後のページは最後のページ（“Ａ”のページ）となる。一方、ステップＳ１７において後進操作が行われなかったと判断すると（ステップＳ１７：ＮＯ）、次に、ステップＳ２１でレコードが選択されたか否かを判断する。
【００７６】
ここで、レコードの選択とは、図１０に示すＬＣＤモニタ２４の表示状態において、たとえば、カーソルＣ２を“小野小町”にあわせて、下欄中央部ＵＣの“選択”を指示して“小野小町”（登録者の識別情報）を選択する操作に該当する。
【００７７】
ステップＳ２１においてレコードが選択されなかったと判断すると（ステップＳ１９：ＮＯ）、ステップＳ１３に戻る。一方、レコードが選択されたと判断すると（ステップＳ２１：ＹＥＳ）、図１５のステップＳ２３で、選択されたレコード、つまり現在ポインタＰ１がポイントしているレコードにおいて電話番号が記憶されている最初のアイテムをポインタＰ２でポイントする。
【００７８】
そして、ステップＳ２５では、現在ポイントしている電話番号のキャリア種別が当該携帯電話機１０にサービスを提供しているキャリアと同じであるか否かを判断する。具体的には、現在ポイントしているアイテムの電話番号と対応つけてレコードに記憶されているアイテムのキャリア種別が、当該携帯電話機１０の所有者の情報であるプロフィール情報４０（図３参照）のキャリア種別４０ｃに記憶されているキャリア種別（Ｂ社）と同じキャリア種別であるか否かを判断する。
【００７９】
ステップＳ２５においてキャリア種別が同じであると判断すると（ステップＳ２５：ＹＥＳ）、ステップＳ２７において現在ポイントしているアイテムに記憶されている電話番号をＬＣＤモニタ２４に表示する。一方、キャリア種別が同じでないと判断すると（ステップＳ２５：ＮＯ）、ステップＳ２７をスキップしてステップＳ２９に進む。
【００８０】
ステップＳ２９では、現在ポイントしているアイテムが電話番号を記憶している最後のアイテムであるか否かを判断する。最後のアイテムでないと判断すると（ステップＳ２９：ＮＯ）、ステップＳ３１で電話番号を記憶している次のアイテムをポイントしてステップＳ２５に戻る。一方、電話番号を記憶している最後のアイテムであると判断すると（ステップＳ２９：ＹＥＳ）、ステップＳ３３で、電話番号の選択が行われたか否かを判断する。ここで、電話番号の選択とは、図１１に示すＬＣＤモニタ２４の表示の状態において、カーソルＣ５を表示されているいずれかの電話番号にあわせて、下欄中央部ＵＣの“選択”を指示する操作に該当する。そして、ステップＳ３３で電話番号が選択されたと判断すると（ステップＳ３３：ＹＥＳ）、ステップＳ３５において選択された電話番号をＳＭＳメールの宛先として設定し、アドレス帳４２の表示および宛先選択のルーチンを終了する。
【００８１】
以上に説明したように、アドレス帳４２を呼び出すことによって、ＳＭＳメールの宛先の電話番号を指定する場合には、アドレス帳ファイル５０（レコード）に含まれる項目（アイテム）に記憶されているキャリア種別に基づいて、ＳＭＳメールの送信が可能な登録者の名称や電話番号のみ表示する。
【００８２】
ただし、上述したように、ＳＭＳメールの送信が可能な登録者の名称のみを表示するのではなく、ＳＭＳメールの送信が可能な登録者の名称を他の登録者の名称と区別して表示するようにしてもかまわない。たとえば、図２７に示すように、ＳＭＳメールを送信することが不可能な登録者の名称（“アガサ・クリスティー”、“安藤広重”、“岡本太郎”）を、ＳＭＳメールを送信することが可能な登録者の名称（“青島俊作”、“沖田総司”、“小野小町”）よりも薄い色で表示することによって区別することができる。なお、図２７では、表現技術上の都合により、薄い色で表示されるべき部分を網掛けして示している。この場合、カーソルＣ２を下に移動させると、薄い色で表示されている“アガサ・クリスティー”、“安藤広重”、“岡本太郎”はスキップしてカーソルＣ２があわさらないようにするとよい。ただし、薄い色で表示されているこれらの名称にもカーソルＣ２があわさるが、下欄中央部ＵＣの“選択”の指示を受け付けないようにしてもよい。また、下欄中央部ＵＣの“選択”の指示を受け付けるが、“選択”の指示がされた場合に当該宛先はＳＭＳメールの宛先として指定できない旨のメッセージをＬＣＤ２４に表示するようにしてもよい。
【００８３】
次に、このようなキャリア種別をアドレス帳４２に登録する方法について説明する。まず、キャリア種別をアドレス帳４２に登録するためには、アドレス帳４２に登録されている相手の電話番号のキャリア種別を知る必要がある。そして、キャリア種別を知る方法としては、相手に直接的にたずねる方法、相手の電話番号の携帯電話機割り当てられている電子メールアドレスのドメイン名から判断する方法、および電話をかけた際の応答音から判断する方法が考えられる。
【００８４】
上記２番目の電子メールアドレスのドメイン名から判断する方法は、たとえば、相手がナンバーポータビリティ制度を利用してキャリアを変更した際に、当該相手から電子メールのアドレスが変わった旨のみを伝える電子メールが送信されてきた場合などに有効である。
【００８５】
上記３番目の電話をかけた際の応答音から判断する方法は、図１６に示すように、キャリアＢ社によってサービスが提供されている携帯電話機１０から所定のキャリア（図１６の例ではＡ社）によってサービスが提供されている携帯電話機１０００に発呼を行った場合に、Ａ社のキャリアＡ網の基地局ＢＰａから当該キャリアに特有の応答音がＢ社のキャリアＢ網の基地局ＢＰｂを経て発呼元の携帯電話機１０に送信される。
【００８６】
この応答音は、ａｕ（ＫＤＤＩ）であれば“プップップ”であり、ＳｏｆｔＢａｎｋであれば“プププ”であり、そしてｄｏｃｏｍｏ（ＮＴＴ）であれば“無音”である。そのため、この応答音の違いに基づいてキャリアを識別することができる。なお、この応答音の基づくキャリアの識別は、通話の際に相手側の携帯電話機１０００（基地局ＢＰａ）から送信される応答音のデータ（信号）の有無やその内容に基づいてプロセッサ１２が判別するようにしてもよい。この場合、利用者がアドレス帳４２に登録されている電話番号を選択し、この選択した電話番号に対応つけてプロセッサ１２が判別したキャリアの種別を示す情報をアドレス帳４２に登録するようにする。
【００８７】
このような方法などによって知得したキャリア種別は、次のようにしてアドレス帳４２に電話番号と対応つけて記憶することができる。つまり、まず、アドレス帳キー２０ｇをキー入力して先の図５に示すようにアドレス帳４２を開いた状態で、下方向キー２０ｂをキー入力して、たとえば、カーソルＣ２を“小野小町”にあわせ、ファンクションキー２０ｅをキー入力して下欄中央部ＵＣの“選択”を指示し、図１７に示すように、“小野小町”の登録情報を表示する。図１７からわかるように、アドレス帳４２には“小野小町”について電話番号が“０１８ｘｘｘｘｘｘｘ”、“９０１２３４ｘｘｘｘ”、および“０９０５６７８ｘｘｘｘ”の３件だけ登録されている。
【００８８】
図１７のように登録されている電話番号が表示された状態で、下方向キー２０ｂをキー入力してカーソルＣ７を、たとえば“０９０１２３４ｘｘｘｘ”にあわせてファンクションキー２０ｇをキー入力して下欄右部ＵＲの“サブメニュー”を指示すると、図１８に示すような、電話番号“０９０１２３４ｘｘｘｘ”についてのサブメニュー表示枠６７が表示される。サブメニュー表示枠６７には、メニューとして、“編集”、“削除”、および“キャリア情報設定”が表示される。“編集”を選択すると電話番号“０９０１２３４ｘｘｘｘ”の内容を編集することができ、“削除”を選択すると電話番号“０９０１２３４ｘｘｘｘ”をアドレス帳ファイル５０から削除することができる。そして、“キャリア情報設定”を選択すると、つまり下方向キー２０ｂをキー入力してカーソルＣ８を“キャリア情報設定”にあわせた状態で、ファンクションキー２０ｅをキー入力して下欄中央部ＵＣの“選択”を指示すると、図１９に示すような、キャリア情報についての設定メニューがＬＣＤモニタ２４に表示される。
【００８９】
図１９に示すように、ＬＣＤモニタ２４にはキャリア情報の設定メニューとして、“キャリア種別設定”と“キャリア変更確認設定”とが表示される。“キャリア種別設定”のメニューは、当該電話番号、つまり図１８においてカーソルＣ７によって選択され、図１９において表示されている“０９０１２３４ｘｘｘｘ”に対応するキャリアの種別を設定（登録）するためのメニューである。また、“キャリア変更確認設定”のメニューは、電話番号に対応するキャリア種別を設定（登録）した後に、登録者の電話番号のキャリア種別に変更があったか否かの定期的な確認を、携帯電話機１０の利用者に促すか否かを設定するためのメニューである。このキャリア種別に変更があったか否かの確認の利用者への促しは、携帯電話機１０の利用者が当該電話番号に電話をかけて通話が終了した後に、最後にキャリアの種別を確認してからあるいはキャリアの種別を変更してから一定の期間が経過しているか否かを判断し、一定の期間が経過していれば行われる。
【００９０】
図１９に示すようにカーソルＣ９が“キャリア種別設定”にあわさった状態で、下欄中央部ＵＣの“選択”を指示すると、ＬＣＤモニタ２４に、図２０に示すようなキャリア種別を設定（登録）するための画面が表示される。図２０に示すように、キャリア種別の設定の選択肢として、“Ａ社”、“Ｂ社”、“Ｃ社”、“不明”、および“設定しない”が設けられている。選択肢の“Ａ社”、“Ｂ社”、および“Ｃ社”をそれぞれ選択すると、つまりカーソルＣ１０を“Ａ社”、“Ｂ社”、および“Ｃ社”のいずれかにあわせて下欄中央部ＵＣの“選択”を指示すると、キャリアとしてＡ社、Ｂ社、およびＣ社のいずれかを設定することができる。このようにしてキャリア種別を設定すると、図６に示したように、“小野小町”のアドレス帳ファイル５０（図６参照）に電話番号(２)５０ｆの項目と対応つけて、キャリア種別を記憶したキャリア種別(２)５０ｇの項目およびキャリア種別を設定した当日の日付を記憶した最終キャリア種別変更確認(２)５０ｈの項目が追加される。なお、キャリア種別を設定した当日の日付の情報は、計時回路３０から得られる。
【００９１】
図２０の例では、電話番号は“０９０１２３４ｘｘｘｘ”であって携帯電話機の電話番号であるが、対象の電話番号が“０１８ｘｘｘｘｘｘｘ”などの固定電話の電話番号である場合には、“設定しない”を選択してキャリア種別を設定しないように登録する。すると、アドレス帳ファイル５０には、“設定しない”を記憶したキャリア種別(１)５０ｄの項目が追加される。この場合、キャリア種別を設定した当日の日付を記憶した項目（最終キャリア種別変更確認(１)）は追加されない。
【００９２】
また、電話番号が携帯電話機の電話番号であるが、キャリアが不明な場合には、“不明”を選択する。すると、アドレス帳ファイル５０には、“不明”を記憶したキャリア種別(３)５０ｋおよびキャリア種別を設定した（この場合“不明”を設定した）当日の日付を記憶した最終キャリア種別変更確認(３)５０ｍが追加される。
【００９３】
一方、ＬＣＤモニタ２４の表示が図１９に示す状態で、“キャリア変更確認設定”を選択すると、図２１に示すような、キャリア種別の変更の確認について設定するための画面がＬＣＤモニタ２４に表示される。図２１に示すように、キャリア種別の変更の確認について設定するための画面には、“半年毎に変更を確認”、“１年毎に変更を確認”、および“変更を確認しない”という選択肢が表示される。“半年毎に変更を確認”を選択すると、アドレス帳ファイル５０には、“半年毎”というたとえばテキスト情報を記憶したキャリア変更確認(２)５０ｉの項目が当該電話番号を記憶した電話番号(２)５０ｆの項目に対応つけて追加される。
【００９４】
また、“１年毎に変更を確認”を選択すると、アドレス帳ファイル５０のキャリア変更確認(２)５０ｉの項目には、“１年毎”が記憶され、“変更を確認しない”を選択するとキャリア変更確認(２)５０ｉの項目には、“確認しない”という情報が記憶される。なお、当該電話番号がアドレス帳ファイル５０の電話番号(１)５０ｃの項目に記憶された“０１８ｘｘｘｘｘｘｘ”のような固定電話の番号などであって、図２０のキャリア種別を設定する画面でキャリア種別を設定しない“設定しない”が選択された場合は、アドレス帳ファイル５０のキャリア変更確認(１)５０ｅのように、“確認しない”という情報を記憶した項目が、携帯電話機１０のプロセッサ１２によって自動的に追加される。
【００９５】
次に、図２２を用いて、利用者が携帯電話機１０を利用して所定の電話番号に電話をかけて通話が終了した後で、当該電話番号のキャリア種別の変更の確認を利用者に促す場合に、携帯電話機１０のプロセッサ１２が実行するルーチンの処理について説明する。なお、プロセッサ１２は、ＲＯＭ１６に記憶されている所定のプログラムに基づいて図２２に示す処理を実行する。
【００９６】
まず、プロセッサ１２は、ステップＳ４１において、電話をかける相手の電話番号の指定を受け付ける。この電話番号の指定は、テンキー群２０Ｔの各キーのキー入力による電話番号の指定であってもよいし、アドレス帳４２に基づく電話番号の指定であってもよい。
【００９７】
次に、プロセッサ１２は、ステップＳ４３において、利用者によって、通話開始の操作が行われたか否かを判断する。通話開始の操作が行われたと判断すると（ステップＳ４３：ＹＥＳ）、ステップＳ４５において、先のステップＳ４１で受け付けた電話番号を、電話をかける相手先の電話番号としてＲＡＭ１４に記憶する。そして、ステップＳ４７において、通話処理を行う。このステップＳ４７における通話処理は、ステップＳ４９において、通話が終了したと判断されるまで継続される。
【００９８】
ステップＳ４９において、通話が終了したと判断すると（ステップＳ４９：ＹＥＳ）、プロセッサ１２は、ステップＳ５１において、ＲＡＭ１４に通話の相手先として記憶されている電話番号を各アドレス帳ファイル５０において検索して、当該電話番号がアドレス帳４２に登録されているか否かを判断する。ＲＡＭ１４に記憶されている電話番号がアドレス帳４２に登録されていないと判断すると（ステップＳ５１：ＮＯ）、当該ルーチンを終了する。
【００９９】
一方、電話番号がアドレス帳４２に登録されていると判断すると、次に、ステップＳ５３において、ＲＡＭ１４に記憶されている電話番号と同一の電話番号を記憶しているアドレス帳ファイル５０の項目（たとえば、図６における、キャリア種別(１)５０ｃ、(２)５０ｆ、および(３)５０ｊの項目）に対応つけて設けられている、キャリアの変更を確認するか否かを記憶した項目（たとえば、図６における、キャリア変更確認(１)５０ｅ、(２)５０ｉ、および(３)５０ｎの項目）を参照し、当該電話番号について、キャリア種別の変更を確認する設定となっているか否かを判断する。つまり、キャリア変更確認(１)５０ｅ、(２)５０ｉ、および(３)５０ｎの項目に“半年毎”あるいは“１年毎”を示す情報が記憶されているか否かを判断する。
【０１００】
ステップＳ５３において、キャリア種別の変更を確認する設定となっていないと判断すると（ステップＳ５３：ＮＯ）、当該ルーチンを終了する。一方、キャリア種別の変更を確認する設定となっていると判断すると（ステップＳ５３：ＹＥＳ）、次に、プロセッサ１２は、ステップＳ５５において、計時回路３０からのデータを参照して、キャリア種別の変更を確認する時期が到来しているか否かを判断する。
【０１０１】
つまり、プロセッサ１２は、計時回路３０から現在の日にちを示す情報を取得し、この情報と、ＲＡＭ１４に記憶されている電話番号と同一の電話番号を記憶しているアドレス帳ファイル５０の項目（たとえば、図６における、キャリア種別(２)５０ｆ、および(３)５０ｊの項目）に対応つけて設けられている、キャリア種別の変更を確認するか否かを記憶した項目（たとえば、図６における、キャリア変更確認(２)５０ｉ、および(３)５０ｎの項目）の内容および、最後にキャリア種別の変更（登録）を行った日付を記憶した項目（たとえば、図６における、最終キャリア変更確認(２)５０ｈ、および(３)５０ｍの項目）に記憶されている内容に基づいて、キャリア種別の変更を確認する時期が到来しているか否かを判断する。
【０１０２】
具体的には、図６におけるアドレス帳ファイル５０の電話番号(１)５０ｆに対応する最終キャリア変更確認(２)５０ｈおよびキャリア変更確認(２)５０ｉを例にすると、計時回路３０から取得した現在の日にちが、最終キャリア変更確認(２)５０ｈに記憶されている“２００７年４月１日（２００７／４／１）”からキャリア変更確認(２)５０ｉに記憶されている“半年毎”の“半年”が経過しているか否かを判断する。
【０１０３】
ステップＳ５５において、キャリア種別の変更を確認する時期が到来していないと判断すると当該ルーチンを終了する。一方、時期が到来していると判断すると、ステップＳ５７において、利用者にキャリア種別の確認を促す処理を実行する。具体的には、たとえば、スピーカ２８からキャリア種別の確認を促す音声を出力しながらバイブレータ（不図示）を動作させて利用者の注意を引き付けて、ＬＣＤモニタ２４に図２０に示したようなキャリア種別の設定を行うための画面を表示する。
【０１０４】
そして、最後に、ステップＳ５９において、ＲＡＭ１４に記憶されている電話番号と同一の電話番号を記憶しているアドレス帳ファイル５０の項目（たとえば、図６における、キャリア種別(２)５０ｆ、および(３)５０ｊの項目）に対応つけて設けられている、最後にキャリア種別の変更（登録）を行った日付を記憶した項目（たとえば、図６における、最終キャリア変更確認(２)５０ｈ、および(３)５０ｍの項目）を計時回路３０から取得した現在の日付で更新して当該ルーチンを終了する。
【０１０５】
このようにして、通話が終了した際には、当該通話に係る電話番号のキャリア種別の確認が利用者に促される。携帯電話機１０の利用者は、キャリア種別の判別を、発呼後であって通話開始前に相手の携帯電話機のキャリアの基地局ＢＰａ（図１６参照）から返信される応答音に基づいて行う。したがって、プロセッサ１２が通話先の電話番号を受け付けた後であって発呼を行う前に、プロセッサ１２がキャリア種別を確認する時期が到来しているか否かを確認し、時期が到来していれば、キャリア種別の確認のために応答音に注意するよう利用者にアナウンスするようにしてもよい。
【０１０６】
なお、キャリア種別の設定は、アドレス帳４２に登録されている電子メールのメールアドレスに基づいて設定することもできる。たとえば、図１７に示したように、アドレス帳４２を開いて“小野小町”について登録されている情報、つまり電話番号および電子メールアドレスが表示されている状態で、下方向キー２０ｂをキー入力してカーソルＣ７を“komachi@bbb.ne.jp”にあわせて下欄中央部ＵＣの“選択”を指示すると、先の図１８に示した電話番号“０９０１２３４ｘｘｘｘ”にカーソルＣ７をあわせて“選択”を指示したときと同じように、図２３に示すようなメールアドレス“komachi@bbb.ne.jp”についてのサブメニュー表示枠６７が表示される。
【０１０７】
このサブメニュー表示枠６７には、先に述べたように、“編集”、“削除”、および“キャリア情報設定”のメニューが表示される。そして、このサブメニュー表示枠６７がＬＣＤモニタ２４に表示された状態で、下方向キー２０ｂをキー入力してカーソルＣ８を“キャリア情報設定”にあわせて下欄中央部ＵＣの“選択”を指示すると、図２４に示すような、キャリア種別を設定する電話番号を選択するための画面が表示される。
【０１０８】
図２４に示すように、キャリア種別を設定する電話番号を選択するための画面には、電子メールアドレス表示欄６８とキャリア種別表示欄６９が設けられ、これらの欄の下部に、“小野小町”について登録されている電話番号の一覧が選択可能に表示される。電子メールアドレス表示欄６８に表示されている電子メールアドレスは、図２３において、カーソルＣ７で選択されている電子メールアドレスである。
【０１０９】
そして、キャリア種別表示欄に表示されているキャリア種別は、電子メールアドレス表示欄６８に表示されている電子メールアドレスのドメインに基づいて識別された、当該電子メールアドレスへのサービスを提供しているキャリアの種別である。前述したように、フラッシュメモリ１８には、図２５に示すようなドメインテーブル４４が記憶されている。ドメインテーブル４４は、図示するように、電子メールアドレスのドメインとキャリア種別とを対応つけて記憶したテーブルである。プロセッサ１２は、電子メールアドレス表示欄６８に表示される電子メールのアドレスのドメインを、このドメインテーブル４４で検索することによって、当該電子メールアドレスに対応するキャリア種別を特定することができる。このようにキャリア種別を特定できるので、ドメインテーブル４４に記憶されているドメインは“キャリア情報”としての役割を果たす。そして、このようにして特定されたキャリア種別が、キャリア種別表示欄６９に表示される。
【０１１０】
利用者は、図２４に示したＬＣＤモニタ２４の表示を参照して、電子メールアドレス表示欄６８に表示されている電子メールアドレスに対応する電話番号、つまり当該電子メールアドレスが割り当てられている携帯電話機に割り当てられている電話番号を選択する。電子メールアドレス表示欄６８に表示されている電子メールアドレスに対応する電話番号のキャリア種別は、当該電子メールアドレスのキャリア種別と等しいので、利用者が図２４に示されている電話番号の一覧からカーソルＣ１２を操作して電話番号を選択することにより、当該電話番号のキャリア種別を設定することができる。
【０１１１】
このようにして電話番号を選択すると、図２４の例でいえば、“小野小町”のアドレス帳ファイル５０に、“０９０１２３４ｘｘｘｘ”が記憶された電話番号(２)５０ｆの項目に対応する、キャリア種別として“Ｂ社”が記憶されたキャリア種別(２)５０ｇの項目が追加される。なお、このとき、現在の日付が記憶された、最後にキャリアを変更（登録）した日付を記憶する最終キャリア変更確認(２)５０ｈの項目も追加される。
【０１１２】
また、先の図１７に示した“小野小町”について登録されている情報を表示した画面で、“o-komachi@xyz.com”のように、ドメインがドメインテーブル４４に登録されておらず、携帯電話のキャリアに属さないドメインの電子メールアドレスが選択されると、図２６に示すように、キャリア種別表示欄６９には、キャリア種別が判別できない旨を示す“不明”という文字が表示され、さらに、キャリアが不明なためにキャリア種別を設定することができない旨を伝えるメッセージが表示されたメッセージ表示枠７０が表示される。
【０１１３】
以上に説明したように、本発明の携帯電話機１０によれば、アドレス帳４２に基づいてＳＭＳメールの宛先の電話番号を選択する際、キャリアの種別が当該携帯電話機１０のキャリア種別と同じである電話番号が登録されている登録者の名称のみを表示し、さらに、表示されたこの登録者の名称を選択した場合には、当該登録者のものとして登録されている電話番号のうちキャリアの種別が当該携帯電話機１０のキャリア種別と同じである電話番号のみを選択可能に表示する。したがって、携帯電話機１０の利用者は、ＳＭＳメールの宛先として有効な電話番号を簡単にかつ確実に選択することができる。
【０１１４】
なお、上述したものは本発明の実施の形態の一例であり、実施の形態は、本発明の範囲内で種々に変更することができる。たとえば、上述の実施の形態では、アドレス帳ファイル５０（図６参照）のキャリア種別(２)５０ｇの項目に、“Ｂ社”など具体的なキャリア種別を記憶することとしたが、このような構成に変えて、キャリア種別(２)５０ｇの項目に、当該携帯電話機１０のキャリア種別と同じであるか否かを示す“○”（同じ場合）や“×”（異なる場合）などの情報（キャリア情報）を記憶するようにしてもよい。
【図面の簡単な説明】
【０１１５】
【図１】第１の発明の一実施例としての携帯電話機１０を示すブロック図である。
【図２】第１の発明の一実施例としての携帯電話機１０の概略を示す正面図である。
【図３】プロフィール情報の一例を示す図解図である。
【図４】プロフィール情報の表示の一例を示す図解図である。
【図５】アドレス帳に登録されている人物の一覧の一例を示す図解図である。
【図６】アドレス帳に登録されている人物についての情報を示すアドレス帳ファイルの一例を示す図解図である。
【図７】アドレス帳ファイルの表示の一例を示す図解図である。
【図８】ＳＭＳメールの宛先を指定する際のＬＣＤモニタの表示の一例を示す図解図である。
【図９】ＳＭＳメールの宛先を指定する際のＬＣＤモニタの表示の一例を示す図解図である。
【図１０】ＳＭＳメールの宛先を指定する際のＬＣＤモニタの表示の一例を示す図解図である。
【図１１】ＳＭＳメールの宛先を指定する際のＬＣＤモニタの表示の一例を示す図解図である。
【図１２】ＳＭＳメールの宛先を指定する際のＬＣＤモニタの表示の一例を示す図解図である。
【図１３】ＳＭＳメールの宛先を指定する際のＬＣＤモニタの表示の一例を示す図解図である。
【図１４】アドレス帳の内容を表示してＳＭＳメールの宛先の電話番号を選択する際にプロセッサが実行するルーチンの処理を説明するフロー図である。
【図１５】図１４のフロー図に続くフロー図である。
【図１６】通話相手先の携帯電話機のキャリアの基地局から返信される応答音を説明する図解図である。
【図１７】キャリア種別を設定する際のＬＣＤモニタの表示の一例を示す図解図である。
【図１８】キャリア種別を設定する際のＬＣＤモニタの表示の一例を示す図解図である。
【図１９】キャリア種別を設定する際のＬＣＤモニタの表示の一例を示す図解図である。
【図２０】キャリア種別を設定する際のＬＣＤモニタの表示の一例を示す図解図である。
【図２１】キャリア種別を設定する際のＬＣＤモニタの表示の一例を示す図解図である。
【図２２】通話の終了時にキャリア種別の確認を利用者に促す場合にプロセッサが実行するルーチンの処理を説明するフロー図である。
【図２３】電子メールアドレスのドメインに基づいてキャリア種別を設定する際のＬＣＤモニタの表示の一例を示す図解図である。
【図２４】電子メールアドレスのドメインに基づいてキャリア種別を設定する際のＬＣＤモニタの表示の一例を示す図解図である。
【図２５】ドメインテーブルの一例を示す図解図である。
【図２６】電子メールアドレスのドメインに基づいてキャリア種別を設定する際のＬＣＤモニタの表示の一例を示す図解図である。
【図２７】ＳＭＳメールの宛先を指定する際のＬＣＤモニタの表示の一例を示す図解図である。
【符号の説明】
【０１１６】
１０    …  携帯電話機（携帯電話端末）
１２    …  プロセッサ
１４    …  ＲＡＭ
１６    …  ＲＯＭ
１８    …  フラッシュメモリ
２０    …  キー入力装置
２２    …  ＬＣＤドライバ
２４    …  ＬＣＤモニタ
２６    …  マイク（マイクロフォン）
２８    …  スピーカ
３０    …  計時回路
３２    …  無線通信回路
３４    …  アンテナ
４０    …  プロフィール情報
４２    …  アドレス帳
４４    …  ドメインテーブル
５０    …  アドレス帳ファイル
【図１】
2010034928.tif 000003
【図２】
2010034928.tif 000004
【図３】
2010034928.tif 000005
【図４】
2010034928.tif 000006
【図５】
2010034928.tif 000007
【図６】
2010034928.tif 000008
【図７】
2010034928.tif 000009
【図８】
2010034928.tif 000010
【図９】
2010034928.tif 000011
【図１０】
2010034928.tif 000012
【図１１】
2010034928.tif 000013
【図１２】
2010034928.tif 000014
【図１３】
2010034928.tif 000015
【図１４】
2010034928.tif 000016
【図１５】
2010034928.tif 000017
【図１６】
2010034928.tif 000018
【図１７】
2010034928.tif 000019
【図１８】
2010034928.tif 000020
【図１９】
2010034928.tif 000021
【図２０】
2010034928.tif 000022
【図２１】
2010034928.tif 000023
【図２２】
2010034928.tif 000024
【図２３】
2010034928.tif 000025
【図２４】
2010034928.tif 000026
【図２５】
2010034928.tif 000027
【図２６】
2010034928.tif 000028
【図２７】
2010034928.tif 000029
【手続補正書】
【提出日】平成21年7月13日(2009.7.13)
【手続補正１】
【補正対象書類名】図面
【補正対象項目名】図６
【補正方法】変更
【補正の内容】
【図６】
2010034928.tif 000030
【手続補正２】
【補正対象書類名】図面
【補正対象項目名】図７
【補正方法】変更
【補正の内容】
【図７】
2010034928.tif 000031